【手続補正書】
【提出日】平成16年10月26日(2004.10.26)
【手続補正１】
【補正対象書類名】特許請求の範囲
【補正対象項目名】全文
【補正方法】変更
【補正の内容】
【特許請求の範囲】
【請求項１】
デバイスからデバイスへのデータ転送のための携帯用デバイスであって、
（ａ）データを記憶するための不揮発性メモリ、そして
（ｂ）携帯用デバイスともう一つの携帯用デバイスとの間でデータが転送されることを可能にするデバイス・インタフェースからなり、
データに関する、前記携帯用デバイス及び前記他の携帯用デバイスの両方の作動が、データ記憶及び転送に限定されており、前記携帯用デバイスが、前記他の携帯用デバイスとデータを交換している間、独立デバイスとして機能するように作動するデバイス。
【請求項２】
前記携帯用デバイスが、ユーザーと直接通信するためのユーザー・インタフェースを持たない、請求項１に記載のデバイス。
【請求項３】
前記不揮発性メモリとのデータ転送が少なくとも一つの命令に従って制御され、前記不揮発性メモリ上に記憶されたデータが、タイプによってマーク付けられ、前記少なくとも一つの命令が、前記タイプに従って転送のデータを選択する、請求項１に記載のデバイス。
【請求項４】
前記タイプが、データの最初の記憶の際にのみマーク付けられる、請求項３に記載のデバイス。
【請求項５】
前記タイプが、データの最初の記憶の後に変更可能である、請求項３に記載のデバイス。
【請求項６】
前記デバイス・インタフェースがコンピュータの通信ポートに接続可能であり、前記タイプが、前記コンピュータから前記不揮発性メモリへのデータ転送の際にマーク付けられる、請求項３に記載のデバイス。
【請求項７】
前記デバイス・インタフェースが、もう一つの通信ポートへの物理的なコネクタを含む、請求項１に記載のデバイス。
【請求項８】
前記不揮発性メモリがフラッシュメモリである、請求項１に記載のデバイス。
【請求項９】
さらに、ＲＡＭ、ＳＤ−ＲＡＭ、Ｓ−ＲＡＭ及びＤＲＡＭからなるグループから選択した揮発性メモリ・コンポーネントからなる、請求項１に記載のデバイス。
【請求項１０】
データ記憶のための携帯用デバイスであって、
（ａ）データを記憶するための不揮発性メモリ、
（ｂ）前記不揮発性メモリへ、あるいはそれからの少なくとも一方のデータ転送を制御する限定命令セット、
（ｃ）前記限定命令セットからの少なくとも一つの命令を実行するロジック、そして
（ｄ）携帯用デバイスへもう一つの携帯用デバイスから、あるいは携帯用デバイスから前記他の携帯用デバイスへの、少なくとも一方のデータ転送を可能にするデバイス・インタフェースからなり、
前記携帯用デバイス及び前記他の携帯用デバイスの両方はオペレーティング・システムを持たず、前記携帯用デバイスは、前記他の携帯用デバイスとデータを交換している間、独立デバイスとして機能するように作動するデバイス。
【請求項１１】
さらに、
（ｅ）ユーザーからの少なくとも一つのコマンドを受信するためのユーザー・インタフェースからなる、請求項１０に記載のデバイス。
【請求項１２】
ユーザーのデータ記憶のための携帯用デバイスであって、
（ａ）データを記憶するための不揮発性メモリ、
（ｂ）前記不揮発性メモリとのデータ転送を制御するソフトウェア・アプリケーションを記憶するためのメモリ、
（ｃ）前記ソフトウェア・アプリケーションを実行するためのロジック、そして
（ｄ）携帯用デバイスから直接もう一つの携帯用デバイスへデータが転送されることを可能にするデバイス・インタフェースからなり、前記携帯用デバイス間の通信が、各々のデバイス・インタフェースを介して起こるだけであり、前記デバイス及び前記他の携帯用デバイスのいずれも、追加のソフトウェア・アプリケーションを受信することはできず、
前記携帯用デバイスが、前記他の携帯用デバイスとデータを交換している間、独立デバイスとして機能するように作動するデバイス。
【請求項１３】
前記メモリが、前記不揮発性メモリとは異なるメモリ記憶コンポーネントである、請求項１２に記載のデバイス。
【請求項１４】
前記メモリが、永久に書き込みが可能なメモリである、請求項１２に記載のデバイス。
【請求項１５】
前記メモリが、前記不揮発性メモリと同一である、請求項１２に記載のデバイス。
【請求項１６】
前記携帯用デバイスが、さらに、
（ｃ）データの前記転送を制御する少なくとも一つの命令を実行するためのロジックを含む、請求項１に記載のデバイス。
【請求項１７】
前記携帯用デバイスの各々が、さらに、前記少なくとも一つの命令を記憶するための追加のメモリ・コンポーネントを含み、前記ロジックがマイクロプロセッサである、請求項１６に記載のデバイス。
【請求項１８】
前記ロジックがマイクロプロセッサであり、前記少なくとも一つの命令が、前記不揮発性メモリ上に記憶される、請求項１６に記載のデバイス。
【請求項１９】
さらに、もう一つの携帯用デバイスへ信号を送信する通信デバイスからなり、前記信号がデータの転送を要求する、請求項１６に記載のデバイス。
【請求項２０】
前記他の携帯用デバイスが検出されたとき、データの転送が、データ転送を制御する前記少なくとも一つの命令に従って自動的に開始される、請求項１９に記載のデバイス。
【請求項２１】
前記不揮発性メモリ上に記憶されたデータが、タイプによってマーク付けられ、前記少なくとも一つの命令が、前記タイプに従って転送のデータを選択し、少なくとも一つの選択タイプのデータに対してのみ自動転送が開始される、請求項２０に記載のデバイス。
【請求項２２】
前記命令が、ユーザーによる変更が不可能である、請求項１６に記載のデバイス。
【請求項２３】
前記携帯用デバイス及び前記他の携帯用デバイス間の通信が、前記デバイス・インタフェースを介して起こるだけである、請求項１に記載のデバイス。
【請求項２４】
前記デバイスがオペレーティング・システムを持たない、請求項１に記載のデバイス。
【請求項２５】
複数の携帯用デバイスからなる、ユーザーのデータ記憶のためのシステムであって、前記携帯用デバイスの各々が、
（ａ）データを記憶するための不揮発性メモリ、そして
（ｂ）前記各携帯用デバイスと前記携帯用デバイスのもう一つとの間で直接データが転送されることを可能にするデバイス・インタフェースを含み、
前記携帯用デバイスの、データに関する作動が、データ記憶及び転送に限定されており、前記携帯用デバイスが、データを交換している間、独立デバイスとして機能するように作動するシステム。
【請求項２６】
複数の携帯用デバイスからなるデータ記憶のためのシステムであって、前記携帯用デバイスの各々が、
（ａ）データを記憶するための不揮発性メモリ、
（ｂ）前記不揮発性メモリへ、あるいはそれからの少なくとも一方のデータ転送を制御する限定命令セット、
（ｃ）前記限定命令セットからの少なくとも一つの命令を実行するためのロジック、そして
（ｄ）前記各携帯用デバイスへ前記携帯用デバイスのもう一つから、あるいは前記各携帯用デバイスから前記携帯用デバイスのもう一つへの、少なくとも一方へデータが転送されることを可能にするデバイス・インタフェースを含み、
前記携帯用デバイスがオペレーティング・システムを持たず、前記携帯用デバイスが、データを交換している間、独立デバイスとして機能するように作動するシステム。
【請求項２７】
複数の携帯用デバイスからなる、ユーザーのデータ記憶のためのシステムであって、前記携帯用デバイスの各々が、
（ａ）データを記憶するための不揮発性メモリ、
（ｂ）前記不揮発性メモリとのデータ転送を制御するソフトウェア・アプリケーションを記憶するためのメモリ、なお、前記各デバイスは、追加のソフトウェア・アプリケーションを受信することはできない、
（ｃ）前記ソフトウェア・アプリケーションを実行するためのロジック、そして
（ｄ）前記各携帯用デバイスから直接前記携帯用デバイスのもう一つへデータが転送されることを可能にするデバイス・インタフェースを含み、前記携帯用デバイス間の通信が、各々のデバイス・インタフェースを介して起こるだけであり、
前記携帯用デバイスが、データを交換している間、独立デバイスとして機能するように作動するシステム。
【請求項２８】
前記携帯用デバイス及び前記他の携帯用デバイスの両方が、データを交換している間、独立デバイスとして機能するように作動する、請求項１に記載のデバイス。
【請求項２９】
前記携帯用デバイス及び前記他の携帯用デバイスの両方が、データを交換している間、独立デバイスとして機能するように作動する、請求項１０に記載のデバイス。
【請求項３０】
前記携帯用デバイス及び前記他の携帯用デバイスの両方が、データを交換している間、独立デバイスとして機能するように作動する、請求項１２に記載のデバイス。
【請求項３１】
デバイスからデバイスへのデータ転送のための携帯用デバイスであって、
（ａ）データを記憶するための不揮発性メモリ、そして
（ｂ）前記携帯用デバイスともう一つの携帯用デバイスとの間でデータが転送されることを可能にするデバイス・インタフェースからなり、
前記携帯用デバイス及び前記他の携帯用デバイスの両方の作動が、データに関して、データ記憶及び転送に限定されており、前記不揮発性メモリとのデータ転送が少なくとも一つの命令に従って制御され、前記不揮発性メモリ上に記憶されたデータが、タイプによってマーク付けられ、前記少なくとも一つの命令が前記タイプに従って転送のデータを選択するデバイス。